(57)【特許請求の範囲】
【請求項１】
建物の壁面に設置される可動式手摺構造であって、
前記壁面に固定される支持部と、そして、
その一端が前記支持部を支点として回動可能に取着される手摺本体と、
を備えて構成され、
前記支持部には、前記手摺本体を水平状態又は垂直状態で保持する中軸が設けられ、
前記手摺本体の前記支持部に取着された端部側には、前記中軸が配置される軸孔を備え、該軸孔は、前記手摺本体が垂直状態又は水平状態となるように回動可能に前記中軸を内装する空間部と、前記空間部に連続して設けられ、前記手摺本体を垂直状態としたときに前記中軸が挿入されて前記手摺本体の回動を阻止する挿入部を有して構成され、
前記手摺本体を垂直状態とすると前記挿入部に前記中軸が挿入されるのに伴って該手摺本体が下方に下がり該手摺本体の回動が阻止されて垂直に保持されると共に、垂直に保持された前記手摺本体を上方に持ち上げて前記中軸を前記空間部内に位置させることにより該手摺本体が回動可能となるようにされたことを特徴とする可動式手摺構造。
【請求項２】
請求項１に記載の可動式手摺構造において、
前記空間部には、前記手摺本体が垂直状態又は水平状態となった場合に前記中軸に当接してそれ以上の回動を阻止する当接部が設けられていることを特徴とする可動式手摺構造。
【請求項３】
請求項１又は２に記載の可動式手摺構造において、
前記壁面には、前記手摺本体を垂直状態としたときに該手摺本体の前記支点とは反対側の端部を側面から着脱可能に保持する保持具が設けられ、該保持具は、前記手摺本体を受け入れ可能であって、該手摺本体の前記支点とは反対側の端部に形成された該手摺本体の径よりも大きい径を有する掛止部が前記保持具から抜け出ないような大きさの凹部を有し、前記手摺本体を垂直状態にすると、前記手摺本体が前記保持具の凹部内に受け入れられたのち、前記中軸が前記挿入部に挿入されるのに伴って該手摺本体が下方に下がり、これにより前記掛止部が前記保持具の凹部に移動して掛止されることを特徴とする可動式手摺構造。
【請求項４】
請求項１から３のいずれか1項に記載の可動式手摺構造において、
前記手摺本体の前記支点とは反対側の端部には、該手摺本体を水平状態としたときに該端部が水平状態で着脱可能に固定されて水平の手摺を形成する連結手段が備えられていることを特徴とする可動式手摺構造。
【請求項５】
請求項１から３のいずれか1項に記載の可動式手摺構造において、
前記手摺本体の前記支点とは反対側の端部には、該手摺本体を水平状態としたときに該端部が該手摺本体とは別に隣接設置された第二の手摺の端部に着脱可能に連結されて水平方向に連続した手摺を形成する連結手段が備えられていることを特徴とする可動式手摺構造。
【請求項６】
請求項１から５のいずれか1項に記載の可動式手摺構造において、
前記手摺本体は、前記支持部を支点として建物の壁面と平行又は直角方向に回動可能とされていることを特徴とする可動式手摺構造。
【発明の詳細な説明】
【０００１】
【発明の属する技術分野】
本発明は、建物の壁面に設置された可動式手摺構造に関するものであり、更に詳しくは、建物の壁面に設置された手摺がその一端を支点として回動可能であり、また、該手摺を水平状態としたときには別に隣接設置された第二の手摺の端部に連結されて共同して水平方向に連続した手摺が形成される可動式手摺構造に関する。
【０００２】
【従来の技術】
手摺には掴まる人の体重が掛かるために、建物の壁面に強固に取り付けられる必要がある。そのため、従来は固定式の手摺が多かった。また、壁面に沿って連続的に手摺を設けたい場合であっても、壁面に窓や出入口等の開口部が設けられている場合にはその部分に手摺を設置することができないので、壁面部分のみに手摺を設置していた。
【０００３】
【発明が解決しようとする課題】
しかし、壁面に窓や出入口等の開口部が設けられている場合であっても壁面に沿って連続的に手摺を設けたい場合がある。特に、高齢者やリハビリを行っている者にとっては、僅かの距離であっても手摺が設置されていない部分があると移動が困難となり、事故につながるおそれもある。そこで、本発明は、建物の壁面に設置された手摺がその一端を支点として回動可能であり、必要な場合には手摺の配置を変更できると共に、手摺を水平方向に連続して設けることが可能な可動式手摺構造を提供することを目的とする。
【０００４】
【課題を解決するための手段】
（請求項１）
上記課題を解決するために請求項１に記載の本発明は、建物の壁面(80)に設置される可動式手摺構造(1)であって、壁面(80)に固定される支持部(2)と、そして、その一端(22)が支持部(2)を支点として回動可能に取着される手摺本体(3)と、を備えて構成され、支持部(2)には、手摺本体を水平状態又は垂直状態で保持する中軸(30)が設けられ、手摺本体(3)の支持部(2)に取着された端部側(22)には、中軸(30)が配置される軸孔(5)を備え、軸孔(5)は、手摺本体(3)が垂直状態又は水平状態となるように回動可能に中軸(30)を内装する空間部(12)と、空間部(12)に連続して設けられ、手摺本体(3)を垂直状態としたときに中軸(30)が挿入されて手摺本体(3)の回動を阻止する挿入部(9)を有して構成され、手摺本体(3)を垂直状態とすると挿入部(9)に中軸(30)が挿入されるのに伴って手摺本体(3)が下方に下がり手摺本体(3)の回動が阻止されて垂直に保持されると共に、垂直に保持された手摺本体(3)を上方に持ち上げて中軸(30)を空間部(12)内に位置させることにより手摺本体(3)が回動可能となるようにされたことを特徴とする可動式手摺構造を提供する。
【０００５】
（用語説明）
「手摺本体(3)」とは、手摺として人が掴むことのできる部分をいう。「壁面(80)」には、柱や家具など固定されている部材も含まれる。また、室内に限らず、屋外も含まれる。
【０００６】
（作用）
手摺本体(3)は、軸孔(5)と中軸(30)とによって垂直状態に保持される。すなわち、支持部(2)に取着された手摺本体(3)の端部(22)には手摺本体(3)を垂直状態又は水平状態に回動可能となるように中軸(30)が配置される軸孔(5)を有すると共に、軸孔(5)は、手摺本体(3)を垂直状態としたときに中軸(30)が挿入される挿入部(9)と、挿入部(9)に連続して設けられた空間部(12)を備えている。
これにより、手摺本体(3)を垂直状態としたときには中軸(30)が挿入部(9)に挿入され、摺本体(3)が下方に下がった形で固定される。従って、垂直状態に保持された手摺本体(3)を掴んでも、手摺本体(3)は容易に傾倒されることはない。そして、手摺本体(3)を持ち上げて中軸(30)を空間部(12)に移動させれば手摺本体(3)は再び支持部(2)を支点として回動可能となる。
【０００７】
（請求項２）
上記課題を解決するために請求項２に記載の本発明は、請求項１に記載の可動式手摺構造において、空間部には、手摺本体が垂直状態又は水平状態となった場合に中軸に当接してそれ以上の回動を阻止する当接部が設けられていることを特徴とする。
【０００８】
（作用）
手摺本体(3)を支持部(2)を支点として垂直状態から回動させて手摺本体(3)を水平状態とすると、中軸(30)が空間部(12)に設けられた当接部(13)に当接してそれ以上の回動が阻止される。一方、手摺本体(3)を水平状態から垂直状態に回動可能させると、上記の場合とは逆方向に回動する。そして、手摺本体(3)が垂直状態となると中軸(30)が空間部(12)に設けられた当接部(14)に当接してそれ以上の回動が阻止される。
【０００９】
（請求項３）
上記課題を解決するために請求項３に記載の本発明は、請求項１又は２に記載の可動式手摺構造において、壁面には、手摺本体を垂直状態としたときに手摺本体の支点とは反対側の端部を側面から着脱可能に保持する保持具が設けられ、保持具は、手摺本体を受け入れ可能であって、手摺本体の支点とは反対側の端部に形成された手摺本体の径よりも大きい径を有する掛止部が保持具から抜け出ないような大きさの凹部を有し、手摺本体を垂直状態にすると、手摺本体が保持具の凹部内に受け入れられたのち、中軸が挿入部に挿入されるのに伴って手摺本体が下方に下がり、これにより掛止部が保持具の凹部に移動して掛止されることを特徴とする。
【００１０】
（用語説明）
「保持具」とは、手摺本体(3)が受け入れられる開口部(51)と、それに連通して設けられた手摺本体(3)を保持する凹部(52)とを備える。
【００１１】
（作用）
手摺本体(3)を垂直状態にすると、平面凹型の保持具(50)の開口部(51)を通って凹部(52)内に手摺本体(3)が受け入れられる。すると、中軸(30)が軸孔(5)の挿入部(9)に挿入され、それに伴って手摺本体(3)が下方に下がる。これにより掛止部(25)が保持具(50)の凹部(52)に移動して手摺本体(3)が掛止される。従って、軸孔(5)と中軸(30)が手摺本体(3)を垂直状態に保持する作用と相まって手摺本体(3)を垂直状態にしっかりと固定する。
【００１２】
上記課題を解決するために請求項４に記載の本発明は、請求項１から３のいずれか1項に記載の可動式手摺構造において、手摺本体の支点とは反対側の端部には、手摺本体を水平状態としたときに端部が水平状態で着脱可能に固定されて水平の手摺を形成する連結手段が備えられていることを特徴とする。
【００１３】
（用語説明）
「連結手段」とは、例えば、コ字型の止め具(40)を第二の手摺(90)の端部に備えると共に、手摺本体(3)の端部(20)にはこれに嵌合する断面凹型の切れ込み(21)を設ける手段などがある。
【００１４】
（作用）
壁面(80)にその一端(22)を支点として回動可能に設置された手摺(3)を水平状態となるように回動させる。そして、支点とは反対側の手摺の端部(20)を隣接して設置された連結手段(40)に連結することにより水平方向に連続した手摺を形成する。
【００１５】
（請求項５）
上記課題を解決するために請求項５に記載の本発明は、請求項１から３のいずれか1項に記載の可動式手摺構造において、手摺本体の支点とは反対側の端部には、手摺本体を水平状態としたときに端部が手摺本体とは別に隣接設置された第二の手摺の端部に着脱可能に連結されて水平方向に連続した手摺を形成する連結手段が備えられていることを特徴とする。
【００１６】
（作用）
壁面(80)にその一端(22)を支点として回動可能に設置された手摺(3)を水平状態となるように回動させる。そして、支点とは反対側の手摺の端部(20)を該手摺(3)とは別に隣接して設置された第二の手摺(90)の端部に連結することにより水平方向に連続した手摺を形成する。これにより、壁面(80)に窓や出入口等の開口部が設けられている場合であっても手摺を水平方向に連続して配置することができる。一方、手摺(3)を垂直状態としたときには、手摺(3)の端部(20)が垂直状態で壁面(80)に固定され、垂直の手摺となる。これにより、窓を開けたり、出入口のドアを開いて出入したりすることができる。
【００１７】
また、手摺本体(3)を水平状態として端部(20)を該手摺本体(3)とは別に隣接設置された第二の手摺(90)の端部に連結することにより、手摺本体(3)にかかる応力が支持部(2)だけでなく、先端(20)にも分散されるので安定性のある強固な手摺構造となる。
【００１８】
（請求項６）
上記課題を解決するために請求項６に記載の本発明は、請求項１から５のいずれか1項に記載の可動式手摺構造において、手摺本体は、支持部を支点として建物の壁面と平行又は直角方向に回動可能とされていることを特徴とする。
【００１９】
【発明の実施の形態】
以下、本発明に係る可動式手摺構造の好ましい一実施形態について図面を用いて更に詳しく説明する。ここで、使用する図面は、図１から図６である。まず、図１（ａ）から（ｃ）は、本発明の可動式手摺構造(1)の全体構造を示す側面図である。可動式手摺構造(1)は、壁面(80)に固定された支持部(2)と、その一端(22)が支持部(2)を支点として回動可能に取着された手摺本体(3)とを備えている。また、支持部(2)には、手摺本体(3)を水平状態又は垂直状態で保持する中軸(30)を備えている。支持部(2)に取着された手摺本体(3)の端部(22)側には、該手摺本体(3)が垂直状態又は水平状態に回動可能となるように中軸(30)が配置される空間部(12)と、該手摺本体(3)を垂直状態としたときに中軸(30)が挿入される挿入部(9)を備えた軸孔(5)を有している。
【００２０】
図２（ａ）から（ｃ）は、中軸(30)と軸孔(5)の働きを示した側面図である。中軸(30)は、垂直断面形状が長方形である直方体形状を有している。一方、軸孔(5)は、手摺本体(3)を垂直状態としたときに中軸(30)が挿入される挿入部(9)と、手摺本体(3)が垂直状態又は水平状態に回動可能とする空間部(12)が挿入部(9)に連続して設けられている。
【００２１】
空間部(12)には、さらに、手摺本体(3)が垂直状態又は水平状態となった場合に中軸(30)に当接してそれ以上の回動を阻止する当接部(13,14)が設けられている。図２（ａ）は手摺本体(3)を水平状態としたときの状態を示している。この状態では、軸孔(5)の空間部(12)に位置する中軸(30)に当接部(13)が当接して手摺本体(3)がそれ以上回動して下側方向を向かないようになっている。これによって、手摺本体(3)が下方に回動することはなく、水平状態を維持できる。
【００２２】
次に、図２（ｂ）は手摺本体(3)を垂直状態としたときの状態を示している。この状態では、軸孔(5)の空間部(12)に位置する中軸(30)に当接部(14)が当接して手摺本体(3)がそれ以上回動することが不可能とされている。これによって、手摺本体(3)は垂直状態が維持される。さらに、図２（ｃ）に示すように、手摺本体(3)が垂直状態になったときに、挿入部(9)に中軸(30)が挿入されるのに伴って手摺本体(3)が下方に下がる。これにより中軸(30)が挿入部(9)内に保持されるので手摺本体(3)の回動が阻止され、手摺本体(3)は垂直状態で固定される。
【００２３】
また、図３に示すように、壁面(80)には、手摺本体(3)を垂直状態としたときに手摺本体(3)の支点とは反対側の端部(20)を側面から着脱可能に保持する保持具(50)が設けられている。保持具(50)は、手摺本体(3)は開口部(51)から受け入れ可能であるが、手摺本体(3)の端部(20)に手摺本体(3)の径よりも大きい径で形成された掛止部(25)は抜け出せないような凹部(52)を有している。従って、手摺本体(3)を垂直状態にすると、手摺本体(3)が保持具(50)の開口部(51)から凹部(52)内に受け入れられ、そして、中軸(30)が軸孔(5)に挿入されるのに伴って該手摺本体(3)が下方に下がり、これにより掛止部(25)が保持具(50)の凹部(52)に移動して掛止される。
【００２４】
尚、手摺本体(3)を垂直状態から水平状態に回動させるためには、垂直状態に保持されている手摺本体(3)を軽く上方に持ち上げる。これによって、中軸(30)が挿入部(9)から抜け出して、中軸(30)が空間部(5)内で回動可能となる。そして、手摺本体(3)を水平状態に回動させればよい。
【００２５】
図４は、可動式手摺構造(1)を用いて水平方向に連続した手摺を形成する場合を示す説明図である。建物の壁(80)に沿って可動式手摺構造(1)が設けられると共に、開口部であるドア(95)を挟んだ反対側に第二の手摺(90)が隣接して設けられている。ドア(95)を横断して手摺が必要な場合には、ドア(95)を横断して第二の手摺(90)の端部に至る長さを有する手摺本体(3)を備えればよい。そして、手摺本体(3)を水平状態にすれば第二の手摺(90)の端部と連結されて連続した手摺として使用できる（図４（ａ）参照）。一方、手摺が不要となった場合には、手摺本体(3)を垂直状態に保持させることにより、ドアの開閉、通路の通行などが自由に行える（図４（ｂ）参照）。
【００２６】
この場合、手摺本体(3)の支点とは反対側の端部(20)には、第二の手摺(90)の端部に着脱可能に連結される連結手段(21,40)が備えられている。具体的には、第二の手摺(90)の端部にはコ字型をした止め具(40)が取り付けられ、手摺本体(3)の先端(20)には断面凹型の切れ込み(21)が設けられている。これにより、切れ込み(21)が止め具(40)に嵌合して固定される。手摺本体(3)が第二の手摺(90)の端部に連結されると、手摺本体(3)にかかる応力が支持部(2)だけでなく、先端(20)にも分散されるので安定性のある強固な手摺構造となる。
【００２７】
可動式手摺構造(1)の取り付けは、上述したように水平方向に連続した手摺を形成させる場合には図５に示すように、建物の壁面(80)と平行に取り付ければよい。一方、図６に示すように、壁面(80)に対して直角に取り付ければ、向かい合う壁(80)面の間に手摺を形成させることもできる。これによれば、廊下などの通路を横断する形でも手摺を形成することが可能となる。
【００２８】
【発明の効果】
本発明に係る可動式手摺構造によれば、一端を支点として回動可能に取着し、該手摺を水平状態又は垂直状態で着脱可能に固定できるように構成したので必要な場合には手摺の配置を変更できるという効果がある。
本発明に係る可動式手摺構造によれば、手摺を水平方向に連続して設けることができると共に、必要な場合には手摺の配置を変更できるという効果がある。
また、本発明に係る可動式手摺構造によれば、手摺を水平状態又は垂直状態とした場合であってもその状態を確実に保持することが可能となるという効果がある。
さらに、本発明に係る可動式手摺構造によれば、手摺を水平方向に連続して設ける場合に手摺同士がしっかりと連結され安定性のある強固な手摺構造となるという効果がある。
また、本発明に係る可動式手摺構造によれば、手摺本体を垂直状態とした場合であっても掛止部が保持具から抜け出ないように掛止されるので手摺本体を垂直状態で確実に固定することができるという効果がある。
【図面の簡単な説明】
【図１】（ａ）〜（ｃ）は、本発明に係る可動式手摺構造の一実施形態の全体構造を示す側面図である。
【図２】（ａ）〜（ｃ）は、中軸と軸孔の働きを示した側面図である。
【図３】保持具の構成の一例を示す斜視図である。
【図４】図１に示す可動式手摺構造を用いて水平方向に連続した手摺を形成する場合を示す説明図である。
【図５】本発明に係る可動式手摺構造の取り付け例を示す平面図である。
【図６】図５とは異なる取り付け例を示す平面図である。
【符号の説明】
１  可動式手摺構造      ２  支持部
３  手摺本体            ５  軸孔
９  挿入部            １２  空間部
１３、１４  当接片      ２０  端部
２１  切れ込み          ２２  端部
２５  掛止部            ３０  中軸
４０  止め具            ５０  保持具
５１  開口部            ５２  凹部
８０  壁面              ９０  第二の手摺
【図１】
0003585423.tif 000002
【図２】
0003585423.tif 000003
【図３】
0003585423.tif 000004
【図４】
0003585423.tif 000005
【図５】
0003585423.tif 000006
【図６】
0003585423.tif 000007